(57)【要約】      （修正有）【課題】点灯駆動に外部電源を必要とする従来の表示灯と比べると簡易、簡便な表示灯を提供する。【解決手段】表示灯は、ケース１、これに装着されるキャップ、ケース１内の底部に設けられた電池装着部３を含んでおり、さらに、発光ダイオード等を搭載するための、ケース１に回動可能に連結されたベース部材４、ベース部材４に搭載された複数個の発光ダイオードＬ１〜Ｌ８、ベース部材に搭載された発光ダイオード駆動回路ＤＣ、ベース部材に搭載された光反射放光体５等を含んでいる。【選択図】図８
0003144972.tif 000002
【実用新案登録請求の範囲】
【請求項１】
上端開口部を有するとともに表示灯設置対象場所への表示灯取り付けのための底部取付け部を有するケースと、
該ケース内に設けられ、電池を交換可能に装着できる電池装着部と、
該ケースの上端開口部を含む領域において前記電池装着部を覆う閉位置と該電池装着部を開放する開位置との間で開閉操作可能に該ケースに連結されたベース部材と、
該ベース部材に搭載された複数個の発光ダイオードと、
該ベース部材に搭載され、前記電池装着部に装着される電池の出力で該発光ダイオードを駆動する発光ダイオード駆動回路と、
前記ケースにケース外部から操作可能に取り付けられ、前記電池装着部と前記発光ダイオード駆動回路とを電気的に接離する電源スイッチと、
前記発光ダイオードの上方に配置されるとともに前記ベース部材に支持された透明な光反射放光体と、
前記ベース部材が前記閉位置におかれた状態で前記光反射放光体及び前記発光ダイオードを覆って前記ケースの上端開口部を閉じるように該ケースに取り外し可能に装着可能の光透過性のキャップと
を含んでいることを特徴とする表示灯。
【請求項２】
前記ケースは前記上端開口部及び前記電源スイッチ部が取り付けられた部分を除いて通水不能に形成されており、該電源スイッチが取り付けられたケース部分は防水カバーに覆われており、該防水カバーは該カバーの外側から該カバーが介在する状態で該電源スイッチの操作を行える柔軟性を有しており、
前記光透過性のキャップは、該光透過性キャップと前記ケースとの間に介在せしめられる水密シール部材を該ケースとの間に挟着した状態で該ケースに水密に装着されるものである請求項１記載の表示灯。
【請求項３】
前記ケースの前記底部取付け部は、前記表示灯設置対象場所に設けられる表示灯引っ掛け部材に引っ掛け可能の引っ掛け部と、該表示灯設置対象場所が磁石吸着可能場所であるときに該場所に吸着可能の磁石とを含んでいる請求項１又は２記載の表示灯。
【請求項４】
前記ベース部材は、前記ケースの上端開口部を含む領域で上下に回動可能にベース部材一端部で該ケースに回動可能に連結されており、前記電池装着部を覆う閉位置と該電池装着部を開放する開位置との間を上下に往復回動可能であり、前記ベース部材を前記閉じ位置に保持する保持装置が前記ケースに設けられている請求項１、２又は３記載の表示灯。
【請求項５】
前記発光ダイオードは前記ベース部材に環状配列で搭載されており、光軸が該発光ダイオード上方の前記光反射放光体へ向けられており、該光反射放光体は中央部で支柱部を介して前記ベース部材に支持されており、該光反射放光体は複数個のブロックが等中心角度間隔で該支柱部の周囲に放射状に配列され、該複数個のブロックが一体化されて形成されており、該各ブロックは、下端から上端へ立ち上がる平坦外側面、該外側面の上端から該支柱部へ向け下り傾斜する、平面から見ると台形を呈する上端面及び該外側面の下端から前記支柱部へ向け延びる断面３角形の底面側の溝部を有している請求項１から４のいずれかに記載の表示灯。
【請求項６】
前記発光ダイオード駆動回路は、該駆動回路に予め設定された複数の発光ダイオード点灯パターンから該駆動回路に含まれている点灯パターン選択スイッチで選択された点灯パターンで前記発光ダイオードを点灯制御するものである請求項１から５のいずれかに記載の表示灯。
【請求項７】
前記発光ダイオード駆動回路は、光検出回路を含んでおり、該光検出回路が予め定めた光量以上の光量を検出すると前記発光ダイオードの点灯を許し、該光検出回路で検出される光量が該予め定めた光量より少ないと該発光ダイオードの点灯を許可しない請求項１から６のいずれかに記載の表示灯。
【考案の詳細な説明】
【技術分野】
【０００１】
本考案は、各種分野において使用できる表示灯に関する。
【背景技術】
【０００２】
表示灯は種々のタイプのものが知られているが、その中に、光源として発光ダイオードを用い、該発光ダイオードを複数個配列して個々の発光ダイオードを点灯消灯制御して所望の光表示を行える表示灯がある。
【０００３】
例えば、意匠登録第１３１１３９０号公報には、複数個の発光ダイオードを環状に配列支持するとともに該発光ダイオード群の上方に配置された光反射放光体を支持する基板を上端開口のケースに収納固設し、該ケース内又は外に発光ダイオード点灯制御部を設け、該制御部にケース外部から電源コードにて電力供給できるようにし、該ケースの上端部に発光ダイオード群及びその上方の前記光反射放光体を覆う光透過性キャップを装着した表示灯が記載されている。
【０００４】
この表示灯によると、ケース外から電源コードを介して発光ダイオード点灯制御部に電力供給することで、該制御部による点灯制御のもとに発光ダイオードが所定パターンで点灯する。その光が光反射放光体に入射し、該光反射放光体による屈折、反射等の組み合わせにより該光反射放光体から放出され、さらに前記キャップを通過して外側へ放出される。この光をキャップ外側から視認することができる。
【０００５】
【特許文献１】意匠登録第１３１１３９０号公報
【考案の開示】
【考案が解決しようとする課題】
【０００６】
しかしながら、このような表示灯は、それ自体に電源を備えていないため、商用電源等から電力供給受けることができる場所でしか使用できず、また、商用電源等から電力供給を受けることができる状態であっても、該電源から電力供給を受けるための電源コードが表示灯設置の妨げになるようなこともある。これらにより、かかる従来の表示等は、必ずしも簡易、簡便なものではなかった。
【０００７】
そこで本考案は、点灯駆動に外部電源を必要とする従来の表示灯と比べると簡易、簡便な表示灯を提供することを課題とする。
【課題を解決するための手段】
【０００８】
本考案は前記課題を解決するため、
上端開口部を有するとともに表示灯設置対象場所への表示灯取付けのための底部取付け部を有するケースと、
該ケース内に設けられ、電池を交換可能に装着できる電池装着部と、
該ケースの上端開口部を含む領域において前記電池装着部を覆う閉位置と該電池装着部を開放する開位置との間で開閉操作可能に該ケースに連結されたベース部材と、
該ベース部材に搭載された複数個の発光ダイオードと、
該ベース部材に搭載され、前記電池装着部に装着される電池の出力で該発光ダイオードを駆動する発光ダイオード駆動回路と、
前記ケースにケース外部から操作可能に取り付けられ、前記電池装着部と前記発光ダイオード駆動回路とを電気的に接離する電源スイッチと、
前記発光ダイオードの上方に配置されるとともに前記ベース部材に支持された透明な光反射放光体と、
前記ベース部材が前記閉位置におかれた状態で前記光反射放光体及び前記発光ダイオードを覆って前記ケースの上端開口部を閉じるように該ケースに取り外し可能に装着可能の光透過性のキャップと
を含んでいる表示灯を提供する。
【０００９】
この表示灯によると、キャップをケースから取り外し、ベース部材を開位置においてケース内電池装着部を開放し、該電池装着部に電池を装着し、或いは既に該電池装着部に装着されていた電池を新しいものに交換装着し、次いで該ベース部材を閉位置へ閉じ、キャップをケースに装着し、例えば該ケースの部分で表示灯設置対象場所に配置したり、必要とあれば、ケース底部取付け部を用いて表示灯設置対象場所に取り付けて使用できる。
【００１０】
ここで「表示灯設置対象場所」とは、各種乗り物の内部や外面、工場等における各種部材の上面、側面や下面、建造物の内壁や外壁、建造物内側の天井壁等を指しており、表示灯設置が要請されることがある各種場所である。
【００１１】
発光ダイオードを点灯させるにあたっては、電源スイッチをオン操作し（電源スイッチで電池装着部と発光ダイオード駆動回路とを電気的に接続させ）、発光ダイオード駆動回路に前記電池から電力を供給させる。
発光ダイオードは予め駆動回路に設定された点灯パターンで制御点灯される。
【００１２】
発光ダイオードから発せられる光は光反射放光体に入射し、該光反射放光体から放出され、さらに前記光透過性キャップを通過して外側へ放出される。この光をキャップ外側から視認することができる。
【００１３】
前記電源スイッチをオフ操作することで（電源スイッチで電池装着部と発光ダイオード駆動回路とを電気的に切り離すことで）、発光ダイオードを消灯させることができる。
【００１４】
本考案に係る表示灯によると、電源とし表示灯自体のケース内電池装着部に交換可能に装着される電池を用いるので、発光ダイオード駆動のための外部電源は不要であるとともに発光ダイオード駆動回路に外部電源出力を供給するための電源コードも不要である。
電池装着部に電池を装着しておけば、発光ダイオードを点灯させることができる。
【００１５】
したがって、本考案に係る表示灯は、商用電源等の外部電源から電力供給受けることができない場所でも使用でき、また、外部電源から電力供給を受けるための電源コードが不要であるから、そのような電源コードが表示灯設置の妨げになるようなことはない。
これらにより、本考案に係る表示灯は点灯駆動に外部電源を必要とする従来の表示灯と比べると簡易、簡便である。
【００１６】
また、本考案に係る表示灯では、電池交換の際には、キャップをケースから取り外し、ベース部材を開位置においてケース内電池装着部を開放し、その状態で該電池装着部に対し電池交換を行い、その後は該ベース部材を閉位置へ閉じ、キャップをケースに装着すれば足りるので、電池交換を容易に行うことができ、この点でも、簡易、簡便な表示灯である。
【００１７】
本発明に係る表示灯は、例えば、前記ケースが前記上端開口部及び前記電源スイッチが取り付けられた部分を除いて通水不能に形成されており、該電源スイッチが取り付けられたケース部分は防水カバーに覆われており、該防水カバーは該カバーの外側から該カバーが介在する状態で該電源スイッチの操作を行える柔軟性を有しているものとすることができる。
【００１８】
また、前記光透過性のキャップが、該光透過性キャップと前記ケースとの間に介在せしめられる水密シール部材を該ケースとの間に挟着した状態で該ケースに水密に装着されるものとしてもよい。
【００１９】
このように、電源スイッチが取り付けられたケース部分を防水カバーで覆ったり、これとともに（又は）光透過性キャップが水密シール部材をケースとの間に挟着した状態で該ケースに水密に装着されるようにすることで、雨中や多湿雰囲気中等においても防水型の表示灯として使用できるようになる。
【００２０】
前記ケースの底部取付け部としては、例えば、前記表示灯設置対象場所に設けられる表示灯引っ掛け部材に引っ掛け可能の引っ掛け部と、該表示灯設置対象場所が磁石吸着可能場所であるときに該場所に吸着可能の磁石とを含んでいるものを挙げることかできる。
【００２１】
このようにケース底部取付け部が引っ掛け部と磁石を備えていることで、それだけ、表示灯設置対象場所の範囲が該場所の材質の点で広がるとともに該場所への表示灯設置が容易となる。
【００２２】
前記ベース部材については、例えば、前記ケースの上端開口部を含む領域で上下に回動可能にベース部材一端部で該ケースに回動可能に連結して、前記電池装着部を覆う閉位置と該電池装着部を開放する開位置との間を上下に往復回動可能とすることができる。
また、該ベース部材を閉じ位置に保持する保持装置をケースに設けてもよい。
【００２３】
前記発光ダイオードの配列状態としては、例えば前記ベース部材に環状配列で搭載される場合を挙げることができる。また、発光ダイオードは、光軸が該発光ダイオード上方の前記光反射放光体へ向けられている場合を例示できる。
発光ダイオードが環状配列されている場合、該光反射放光体は中央部で支柱部を介して前記ベース部材に支持されている場合を例示できる。
【００２４】
該光反射放光体とし、複数個のブロックが等中心角度間隔で該支柱部の周囲に放射状に配列され、該複数個のブロックが一体化されて形成されており、該各ブロックは、下端から上端へ立ち上がる平坦外側面、該外側面の上端から該支柱部へ向け下り傾斜する、平面から見ると台形を呈する上端面及び該外側面の下端から前記支柱部へ向け延びる断面３角形の底面側の溝部を有しているものを例示できる。
【００２５】
前記発光ダイオード駆動回路については、例えば、該駆動回路に予め設定された複数の発光ダイオード点灯パターンから該駆動回路に含まれている点灯パターン選択スイッチにて選択された点灯パターンで前記発光ダイオードを点灯制御するものを挙げることができる。
【００２６】
前記発光ダイオード駆動回路は光検出回路を含んでいてもよく、その場合、該光検出回路が予め定めた光量以上の光量を検出すると前記発光ダイオードの点灯を許し、該光検出回路で検出される光量が該予め定めた光量より少ないと該発光ダイオードの点灯を許可しないものでもよい。
【考案の効果】
【００２７】
以上説明したように本考案によると、点灯駆動に外部電源を必要とする従来の表示灯と比べると簡易、簡便な表示灯を提供することができる。
【考案を実施するための最良の形態】
【００２８】
以下本考案に係る表示灯の例について図面を参照して説明する。
図１は本考案に係る表示灯の例（表示灯Ａ）の正面図である。図２は表示灯Ａの底面図である。図３は表示灯Ａのキャップ２を取り外し、正面側の２個の発光ダイオードを省略した状態の正面図である。図４から図７は後述する光反射放光体５を示す図である。図８は表示灯Ａのキャップ２を取り外した状態の斜視図であり、図９は同状態で後述するベース部材４を開位置へ開けた状態の斜視図である。図１０はベース部材４に搭載された発光ダイオード駆動回路等を示す回路図である。
【００２９】
表示灯Ａは、ケース１、これに装着されるキャップ２、ケース１内の底部に設けられた電池装着部３（図８参照）を含んでおり、さらに、発光ダイオード等を搭載するための、ケース１に回動可能に連結されたベース部材４、ベース部材４に搭載された複数個の発光ダイオードＬ１〜Ｌ８、ベース部材に搭載された発光ダイオード駆動回路ＤＣ、ベース部材に搭載された光反射放光体５等を含んでいる。
【００３０】
ケース１は、本例では上方或いは下方から見ると円形のケースであり、上端に円形開口部１１を有しており、該開口部１１の外周にはキャップ２装着用の雄ねじ部１１１が形成されている。雄ねじ部１１１の下端には水密封止のためのリングシール部材１１２が嵌められている。
【００３１】
ケース１は、図２に示すように、底部取り付け部１２を有している。底部取り付け部１２は、表示灯設置対象場所に表示灯Ａを取り付けるためのもので、本例では、表示灯設置対象場所に設けられることがある表示灯引っ掛け部材（例えばネジ、クギ等）に引っ掛け可能の引っ掛け部１２１と、表示灯設置対象場所が磁石吸着可能場所であるときに該場所に吸着可能の磁石１２２とを含んでいる。
【００３２】
ケース１には、ケース外部から操作可能にケース周壁に取り付けられ、電池装着部３とベース部材４上の発光ダイオード駆動回路ＤＣとを電気的に接続し、又は切り離す電源スイッチ（オン・オフスイッチ）ＳＷ１も設けられている。
【００３３】
ケース１は、上端開口部１１及び電源スイッチＳＷ１が取り付けられた部分を除いて通水不能に形成されており、電源スイッチＳＷ１が取り付けられたケース部分は防水カバー１３で覆われている。ケース１は、それには限定されないが、ここでは非通水性の合成樹脂で形成されている。
【００３４】
防水カバー１３等の点につきさらに説明すると、スイッチＳＷ１の本体はケース１内に納められているが（図９参照）、図１に示すように、スイッチ操作部ＳＷ１１はケース壁を貫通してケース外側へ突出している。この突出したスイッチ操作部ＳＷ１１を覆って防水カバー１３がケース外周壁面に当てがわれ、さらにその上から押さえ板１４がネジｓ１で固定されている。
【００３５】
防水カバー１３は、それとは限定さないが、ここでは非通水性の柔軟な合成樹脂からなるもので、カバー１３の外側から該カバーが介在する状態で電源スイッチ操作部ＳＷ１１をオン・オフ操作できる。
【００３６】
キャップ２は光透過性のキャップで、図１等に示すように、一体的に形成された上下部分２１、２２からなる。キャップ２はここでは透明合成樹脂製のものである。キャップ２は内部が透けてみえる透明体である必要はなく、透明でなくても光透過性を有するものであればよい。
【００３７】
キャップ２の上半部２１及び下半部２２はいずれも上方或いは下方から見ると円形を呈するものであるが、上半部２１より下半部２２は大径に形成されており、下半部２２の内周面には前記ケース上端開口部外周の雄ねじ部１１１に螺合可能の雌ねじ部２２１が形成されている（図３参照）。かくして、キャップ２をケース１に取り外し可能に螺合装着することができる。さらに、水密シール部材１１２をケース１との間に挟着した状態で該ケースに水密に装着される。
【００３８】
このような（電源スイッチＳＷ１の部分に対する防水カバー１３）及び（キャップ２とケース１との間のシール部材１１２）等の採用により、表示灯Ａは、雨中や多湿雰囲気中等においても使用できる防水型の表示灯となっている。
【００３９】
ケース１内の電池装着部３は、本例では単３乾電池ＢＴを２個直列接続状態で装着できるものであり、電池交換可能である。
【００４０】
ベース部材４は、図８及び図９に示すように、発光ダイオードＬ１〜Ｌ８及び発光ダイオード駆動回路ＤＣを搭載した基板４１とこれを支持する支持部材４２（ここでは板状の支持部材）とを含んでいる。基板４１は支持部材４２に重ね配置されてネジｓ２で固定されている。
【００４１】
ベース部材４は、ケース底部から立ち上がった一対の支持柱１５に支持部材４２の一端部４２１の両側端部で回動可能に連結されている。それにより、ベース部材４は、電池装着部３を覆う閉位置と電池装着部３を上方へ向け開放する開位置との間を上下に往復回動可能である。
【００４２】
閉位置においては、支持部材４２の他端部４２２がケース内ストッパ１６に当接し、その状態で該他端部４２２にケース内の係止部材１７が係止して、該ベース部材４を閉位置に保持する。ここでは、これらストッパ１６及び係止部材１７がベース部材４の保持装置を構成している。
【００４３】
係止部材１７は下端がケース１に支持された片持ち梁様の部材で、その弾性に抗して手動で支持部材他端部４２２から外すことができ、それにより、図９に示すようにベース部材４を開くことができる。開けたベース部材４をストッパ１６側へ閉じる操作により支持部材他端部４２２で外側へ押し回動させ、その後弾性復元力で復帰させて該他端部４２２に係合させることがてきる。
【００４４】
発光ダイオードＬ１〜Ｌ８は、ここでは白色発光するもので、基板４１に環状に配列搭載されている。各発光ダイオードは、光軸が発光ダイオード群上方の光反射放光体５へ向けられた所謂砲弾型の発光ダイオードである。
【００４５】
光反射放光体５は、反射ミラーを利用したもの等でもよいが、ここでは透明合成樹脂製のものである。光反射放光体５は、その中央部にこれと一体的に形成された支柱部５０を用いてベース部材４に搭載されている。支柱部５０は、基板４１を貫通して支持部材４２に達し、該部材４２にネジｓ３で固定されている（図３参照）。図中、５０ａは支柱部下端の突起であり、支持部材４２に形成した位置決め凹所（図示省略）に嵌められる。
【００４６】
図４は光反射放光体５の正面図である。図５は光反射放光体５の平面図であり、参考のため発光ダイオードも鎖線で示してある。図６は光反射放光体５の底面図であり、図７は図５のＸ−Ｘ線に沿う光反射放光体５の断面図である。
【００４７】
光反射放光体５は、複数個のブロックｂが等中心角度間隔で支柱部５０の周囲に放射状に配列され、該複数個のブロックｂが支柱部５０とともに一体化されて形成されている。  各ブロックｂは、下端から上端へかけて支柱部５０側へ若干（本例では約２°）傾いて立ち上がる平坦外側面ａ１、該外側面ａ１の上端から支柱部へ向け下り傾斜する、平面から見ると台形を呈する上端面ａ２及び外側面ａ１の下端から支柱部５０へ向け延びる断面３角形の底面側の溝部ａ３を有している。
【００４８】
前記のキャップ２は、ベース部材４が閉位置におかれた状態で光反射放光体５及び環状配列発光ダイオードＬ１〜Ｌ８を覆ってケース上端開口部１１を閉じるようにケース１に取り外し可能に装着可能である。
【００４９】
発光ダイオード駆動回路ＤＣは、図１０に示すように、マイクロコンピュータＭＰ及びコンピュータＭＰの指示に基づいて発光ダイオードＬ１〜Ｌ８のそれぞれを点灯消灯制御するためのトランジスタアレイＴＡｒを含んでいる。
発光ダイオード駆動回路ＤＣは、電源スイッチＳＷ１をオン操作して、電池装着部３に装着される電池ＢＴの出力を該スイッチＳＷ１を介して回路ＤＣに入力させることで動作する。
【００５０】
このとき、発光ダイオードＬ１〜Ｌ８のそれぞれは、マイクロコンピュータＭＰに予め設定された複数の発光ダイオード点灯パターンから予め選択された点灯パターンで点灯制御される。発光ダイオード点灯パターンの予めの選択は駆動回路ＤＣに含まれている点灯パターン選択スイッチＳＷ２を手動切替え操作することで行える。
【００５１】
ここでは、点灯パターンとして、発光ダイオードＬ１〜Ｌ８が一斉に点滅を繰り返すパターンと、互いに隣り合う２個ずつの発光ダイオードを順次点灯させることで恰も回転灯のごとく見せるパターンとが設定されている。
図８及び図１０に示すスイッチＳＷ２の位置（開位置）では、発光ダイオードＬ１〜Ｌ８が一斉に点滅を繰り返し、スイッチＳＷ２を閉位置におくと、回転灯の如く点灯する。      
【００５２】
後者については、例えば次のように制御される。すなわち、例えば当初Ｌ１、Ｌ２点灯で他のもの消灯  →  所定時間経過後にＬ２、Ｌ３点灯で他のもの消灯  →  さらに所定時間経過後にＬ３、Ｌ４点灯で他のもの消灯  →  さらに所定時間経過後にＬ４、Ｌ５点灯で他のもの消灯  →  さらに所定時間経過後にＬ５、Ｌ６点灯で他のもの消灯  →  さらに所定時間経過後にＬ６、Ｌ７点灯で他のもの消灯  →  さらに所定時間経過後にＬ７、Ｌ８点灯で他のもの消灯を繰り返す。
【００５３】
電源スイッチＳＷ１がたとえオン状態（閉位置）に設定されていても、表示灯Ａ周囲の明るさに応じて、発光ダイオードＬ１〜Ｌ８が点灯したり、しなかったりするようにしてもよい。
【００５４】
そのために、例えば図１０に示すように、駆動回路ＤＣに光検出センサ（ここでは光トランジスタ）を含む光検出回路ＰＨを設け、光検出センサが予め定めた光量以上の光量を検出すると回路ＰＨが発光ダイオードの点灯を許し、光検出センサで検出される光量が該予め定めた光量より少ないと回路ＰＨは発光ダイオードの点灯を許可しないようにしてもよい。
【００５５】
なお、図１０において、回路ＰＨに隣り合うジャンクションＪ１は、回路ＰＨを採用しないときに用い、回路ＰＨを採用するときは用いない。
回路ＰＨを採用する場合、どの程度の光量で表示灯Ａを動作開始させるかを調整するために、光量に対する感度を調整できる感度調整素子を回路ＰＨに組み合わせてもよい。
【００５６】
以上説明した表示灯Ａは、そのキャップ２をケース１から取り外し、ベース部材４を開位置においてケース内電池装着部３を開放し、そこに電池ＢＴを装着し、或いは既に装着されていた電池を新しいものに交換装着し、次いでベース部材４を閉位置へ閉じ、キャップ２をケース１に装着して用いることができる。
【００５７】
図１１は表示灯Ａの設置例を示す図であり、図１１（Ａ）は表示灯設置対象場所が上方を向く面Ｓを含むときの使用例を、図１１（Ｂ）は表示灯設置対象場所が下方を向く面Ｓ’を含むときの使用例を、図１１（Ｃ）は表示灯設置対象場所が立面Ｓ”を含むときの使用例を、それぞれ示している。
【００５８】
図１１（Ａ）のように表示灯設置対象場所が上方を向く面Ｓを含むときには、表示灯Ａを単に面Ｓ上に載置するだけでもよいが、必要に応じケース１の底部取り付け部１２の引っ掛け部１２１及び（又は）磁石１２２を用いて面Ｓに取り付けてもよい。
図１１（Ｂ）や図１１（Ｃ）の場合には、ケース１の底部取り付け部１２の引っ掛け部１２１及び（又は）磁石１２２を用いて面Ｓ’や面Ｓ”に取り付ければよい。
このように、表示灯Ａは様々の設置対象場所に簡易に対応させて用いることができ、簡便なものである。
【００５９】
発光ダイオードＬ１〜Ｌ８を点灯させるにあたっては、電源スイッチＳＷ１をオン操作し、ベース部材４上の発光ダイオード駆動回路ＤＣに電池ＢＴから電力を供給させる。
発光ダイオードＬ１〜Ｌ８は既述のとおり、予め駆動回路ＤＣに設定され、選択スイッチＳＷ２で選択された点灯パターンで制御点灯される。
【００６０】
発光ダイオードＬ１〜Ｌ８から発せられる光は光反射放光体５に入射し、屈折、反射等して視認性高く該光反射放光体から放出され、さらに光透過性キャップ２を通過して外側へ放出される。この光をキャップ外側から視認することができる。かくして、各種分野で視認性良好に表示灯Ａを利用することができる。
【００６１】
電源スイッチＳＷ１をオフ操作することで、発光ダイオードＬ１〜Ｌ８を消灯させることができる。
【００６２】
表示灯Ａによると、電源とし表示灯自体のケース内電池装着部３に交換可能に  装着される電池ＢＴを用いるので、発光ダイオード駆動のための外部電源は不要であるとともに発光ダイオード駆動回路に外部電源出力を供給するための電源コードも不要である。
電池装着部３に電池ＢＴを装着しておけば、発光ダイオードＬ１〜Ｌ８を点灯させることができる。
【００６３】
したがって、表示灯Ａは、商用電源等の外部電源から電力供給受けることができない場所でも使用でき、また、外部電源から電力供給を受けるための電源コードが不要であるから、そのような電源コードが表示灯設置の妨げになるようなことはない。
これらにより、表示灯Ａは点灯駆動に外部電源を必要とする従来の表示灯と比べると簡易、簡便である。
【００６４】
また、表示灯Ａでは、電池交換の際には、キャップ２をケース１から取り外し、ベース部材４を開位置においてケース内電池装着部３を開放し、その状態で該電池装着部に対し電池交換を行い、その後はベース部材４を閉位置へ閉じ、キャップ２をケース１に装着すれば足りるので、電池交換を容易に行うことができ、この点でも、簡易、簡便な表示灯である。
【００６５】
以上説明した表示灯Ａでは、いずれの発光ダイオードも白色発光するものであったが、発光ダイオードの発光色に関しては、表示灯Ａの用途等に応じて様々のものを採用できる。キャップ３についても、その色は、表示灯の用途や発光ダイオードの発光色に応じて無色透明のもの、着色されたもの等を採用できる。
【００６６】
また、以上説明した表示灯Ａでは、発光ダイオードの点灯パターンは２種類だけであったが、駆動回路ＤＣには、これらとは異なる、或いはさらに多様な点灯パターンを設定しておくことも可能であり、キャップ２の色や各発光ダイオードの発光色と発光ダイオードの点灯制御の組み合わせにより例えば警告灯、何らかを報知する報知灯などとして利用したり、店舗、展示商品、遊園地遊具などの装飾用の表示灯としても利用できる。
【産業上の利用可能性】
【００６７】
本考案は各種分野で利用できる表示灯を提供することに利用できる。
【図面の簡単な説明】
【００６８】
【図１】本考案に係る表示灯の例の正面図である。
【図２】図１の表示灯の底面図である。
【図３】図１に示す表示灯においてキャップを取り外し、正面側の２個の発光ダイオードを省略した状態の正面図である。
【図４】光反射放光体の正面図である。
【図５】光反射放光体の平面図であり、発光ダイオードも鎖線で示してある。
【図６】光反射放光体の底面図である。
【図７】図５のＸ−Ｘ線に沿う光反射放光体の断面図である。
【図８】図１に示す表示灯のキャップを取り外した状態の斜視図である。
【図９】図１に示す表示灯のキャップを取り外し、ベース部材を開位置へ開けた状態の斜視図である。
【図１０】ベース部材に搭載された発光ダイオード駆動回路等を示す回路図である。
【図１１】表示灯の使用例を示す図であり、図１１（Ａ）は表示灯設置対象場所が上方を向く面Ｓを含むときの使用例を、図１１（Ｂ）は表示灯設置対象場所が下方を向く面Ｓ’を含むときの使用例を、図１１（Ｃ）は表示灯設置対象場所が立面Ｓ”を含むときの使用例を、それぞれ示している。
【符号の説明】
【００６９】
Ａ  表示灯
１  ケース
１１  ケース上端開口部
１１１  雄ねじ部
１１２  水密封止のためのリングシール部材
１２  ケース１の底部取り付け部
１２１  引っ掛け部
１２２  磁石
１３  防水カバー
１４  押さえ板
ｓ１  ネジ
１５  支持柱
１６  ストッパ
１７  係止部材
２  キャップ
２１  キャップ２の上半部
２２  キャップ２の下半部
２２１  雌ねじ部                                                                ３  電池装着部
ＢＴ  乾電池
４  ベース部材
４１  基板
４２  支持部材
ｓ２  ネジ
４２１  支持部材４２の一端部
４２２  支持部材４２の他端部
Ｌ１〜Ｌ８  発光ダイオード
ＤＣ  発光ダイオード駆動回路
ＭＰ  マイクロコンピュータ
ＴＡｒ  トランジスタアレイ
ＨＰ  光検出回路
Ｊ１  ジャンクション
ＳＷ１  電源スイッチ
ＳＷ１１  スイッチ操作部
ＳＷ２  発光ダイオード点灯パターン選択スイッチ
ＣＮ１、ＣＮ２  コネクター
５  光反射放光体
ｂ  ブロック
ａ１  平坦外側面
ａ２  上端面
ａ３  溝部
５０  支柱部
ｓ３  ネジ
【図１】
0003144972.tif 000003
【図２】
0003144972.tif 000004
【図３】
0003144972.tif 000005
【図４】
0003144972.tif 000006
【図５】
0003144972.tif 000007
【図６】
0003144972.tif 000008
【図７】
0003144972.tif 000009
【図８】
0003144972.tif 000010
【図９】
0003144972.tif 000011
【図１０】
0003144972.tif 000012
【図１１】
0003144972.tif 000013